(57)【要約】      （修正有）【課題】筐体開口部の形状を工夫することで、キートップ下面と筐体開口部下面の間に塵や埃などの異物が付着あるいは堆積することを低減することが可能なキーボードを提供する。【解決手段】キースイッチを固定する取付板と、該取付板に固定されたキースイッチの摺動部に取付られたキートップ４と、該キートップ４が貫通するように対応して形成された開口を形成する開口部を有する筐体７を備えた縦型キーボードであって、縦型キーボードをキートップ４の押圧方向１７が略水平方向となる状態で使用する時、筐体７の開口部の上面１８が筐体７の表面と垂直であり、筐体７の開口部の下面２０が筐体７の表面と垂直な面に対し、キーボード内部９からキーボード表面８に向かって下る方向に傾斜している。【選択図】図１
2016136318.tif 000002
【特許請求の範囲】
【請求項１】
キースイッチを固定する取付板と、該取付板に固定されたキースイッチの摺動部に取り付けられたキートップと、該キートップが貫通する開口を形成する開口部が設けられた筐体を備えたキーボードにおいて、
前記キートップの押圧方向が水平方向に対して角度α°（但し、０°≦α＜９０°）の水平方向または斜め下方向となる状態で前記キーボードを使用した時、前記筐体に設けられた前記開口部の内側面のうちの下面であって、少なくとも前記筐体の表面に接続する部分は、水平方向に対して前記キーボードの内部から外部に向かって角度β°（但し、０°＜β＜９０°）で下る方向に傾斜していることを特徴とするキーボード。
【請求項２】
前記開口部の内側面の下面の垂直断面が楕円弧状の形状であることを特徴とする請求項１に記載のキーボード。
【発明の詳細な説明】
【技術分野】
【０００１】
本発明は工作機械を制御する数値制御装置などの電子機器に用いられるキーボードに関する。
【背景技術】
【０００２】
図６は従来のキーボードの断面の模式図である。電子機器に備わったキーボードを使用する場合、キーボードの周囲に飛散している塵や埃、あるいは切削油などの油のミスト、作業者の手に付着している汚れなどが、キーボードのキーとキーが装着されている筐体開口部の隙間に侵入して、筐体開口部に異物として付着してしまう。この異物はキーの操作性に影響を及ぼすことがある。
【０００３】
図５は縦型のキーボードを示す図である。工作機械を制御する数値制御装置等のデータ入力を行う方法の一つとしてキーボードが用いられている。数値制御装置の操作盤１は、表示器２、縦型キーボード３を備えている。特に、キーボードを鉛直方向に沿った姿勢で使用される縦型キーボード３では、キートップ４の下面と筐体に設けられた開口部の下面との間に塵や埃などの異物が付着および堆積しやすい問題があった（図６参照）。隙間５は操作盤１を立てた状態で使用した時、筐体７に設けられた開口部の上面とキートップ４の上面とで形成された隙間である。隙間６は操作盤１を立てた状態で使用した時、筐体７に設けられた開口部の下面とキートップ４の下面とで形成された隙間である。隙間５において、キートップ４が動くため、キートップ４の上面には塵や埃が付着したり堆積したりしない。一方隙間６において、開口を形成する開口部の下側の側面には塵や埃が付着したり堆積し易い問題があった。堆積した塵や埃は時間経過と共にキーボード表面８側からキーボード内部９側へ移動し、キーボード内部９に侵入してしまう。
【０００４】
上記の問題を解決するために、特許文献１には、キーが押下されていない時にキーボード表面の防塵シート開口部とキー外周を接触させて開口部を塞ぐ技術が開示されている。特許文献２には、キーボードの筐体内に防塵布を収納し、キーボードを使用しない時に、前記防塵布を筐体の外部に引き出してキーを覆う技術が開示されている。
【先行技術文献】
【特許文献】
【０００５】
【特許文献１】実開平０２−０７０３２２号公報
【特許文献２】特開平０５−３４３８５９号公報
【発明の概要】
【発明が解決しようとする課題】
【０００６】
背景技術で説明した従来の技術では、筐体の開口部と該開口部に装着されたキーの外周を接触させて隙間を塞いだり、キーボードの表面を布で覆ったりして、塵や埃などがキーボードの内部に侵入するのを防止している。
【０００７】
しかしながら、開口部とキー外周を接触させる方法は、粘着性のある汚れなどの異物が付着した場合には、筐体の開口部とキーとが異物によって固着しやすくなる。また、キーボードの表面を布で覆う方法では、キーボードを使用している間は適用できず、また、布を追加する必要があり、コストアップとなる。
【０００８】
そこで本発明の目的は、上記従来技術の問題点に鑑み、筐体開口部の形状を工夫することで、キー下面と筐体開口部下面の間に塵や埃などの異物が付着あるいは堆積することを低減することが可能なキーボードを提供することである。
【課題を解決するための手段】
【０００９】
本願の請求項１に係る発明は、キースイッチを固定する取付板と、該取付板に固定されたキースイッチの摺動部に取り付けられたキートップと、該キートップが貫通する開口を形成する開口部が設けられた筐体を備えたキーボードにおいて、前記キートップの押圧方向が水平方向に対して角度α°（但し、０°≦α＜９０°）の水平方向または斜め下方向となる状態で前記キーボードを使用した時、前記筐体に設けられた前記開口部の内側面のうちの下面であって、少なくとも前記筐体の表面に接続する部分は、水平方向に対して前記キーボードの内部から外部に向かって角度β°（但し、０°＜β＜９０°）で下る方向に傾斜していることを特徴とするキーボードである。
【００１０】
請求項２に係る発明は、前記開口部の内側面の下面の垂直断面が楕円弧状の形状であることを特徴とする請求項１に記載のキーボードである。
【発明の効果】
【００１１】
本発明により、筐体開口部の形状を工夫することで、キー下面と筐体開口部下面の間に塵や埃などの異物が付着あるいは堆積することを低減することが可能なキーボードを提供できる。
【図面の簡単な説明】
【００１２】
【図１】本発明の実施形態１のキーボードのキートップ周辺を含む部分の断面の模式図である。
【図２】図１をより詳細に説明する図である。
【図３】本発明の実施形態２のキーボードのキートップ周辺を含む部分の断面の模式図である。
【図４】本発明の実施形態３のキーボードのキートップ周辺を含む部分の断面の模式図である。
【図５】縦型のキーボードを示す図である。
【図６】従来のキーボードのキートップ周辺を含む部分の断面の模式図である。
【発明を実施するための形態】
【００１３】
以下、本発明の実施形態を図面と共に説明する。なお、従来技術と同一または類似する構成は同じ符号を用いて説明する。図１は本発明の実施形態１のキーボードのキートップ周辺を含む部分の断面の模式図である。図２は図１をより詳細に説明する図である。操作盤１の基本構成は図５と同様である。本発明の実施形態は、キートップ４が貫通する開口を形成する筐体７に設けられた開口部の構成を縦型キーボード３に備えている（図５参照）。
【００１４】
＜実施形態１＞
７は筐体、１１はプリント基板１２を介してキースイッチ１３を固定する取付板、１４はキースイッチ１３の摺動部（プランジャー）、４は摺動部１４に固定されたキートップである。なお、プリント基板１２にはキースイッチ１３に接続する配線が設けられている。キートップ４はキーボード表面８に平行な面の断面は矩形形状であるとする。取付板１１は図示しないねじなどの固定手段により筐体７に固定されている。筐体７にはキートップ４が貫通する開口を形成する開口部が設けられている。キートップ４はオペレータによって押圧方向１７に押されることで、キーボード内部９方向に移動する。オペレータが手を離すと図示しない弾性部材によりキートップ４はキーボード表面８の方向に移動する。
【００１５】
筐体７に設けられた開口部について説明する。筐体７の開口部の上面１８とキートップ４の上面１９とで隙間５が形成される。筐体７の開口部の下面２０とキートップの下面２１とで隙間６が形成される。
【００１６】
実施形態１の構成は、キースイッチ１３を固定する取付板１１と、該取付板１１に固定されたキースイッチの摺動部に取付られたキートップ４と、該キートップ４が貫通するように対応して形成された開口を形成する開口部を有する筐体７を備えた縦型キーボード３であって、縦型キーボード３をキートップ４の押圧方向１７が略水平方向となる状態で使用する時、筐体７の開口部の上面１８が筐体７の表面と垂直であり、筐体７の開口部の下面２０が筐体７の表面と垂直な面に対し、キーボード内部９からキーボード表面８に向かって下る方向に傾斜している。
【００１７】
筐体７の開口部の下面２０が筐体７の表面と垂直な面に対し、キーボード内部９からキーボード表面８に向かって下る方向に傾斜していることにより、塵や埃（塵埃１０）がキーボード表面８方向に重力により引っ張られることにより、キートップ４の下面２１と筐体７の開口部の下面２０の間に形成される隙間６に塵や埃（塵埃１０）が付着したり、堆積することが低減することができる。
【００１８】
＜実施形態２＞
図３は本発明の実施形態２のキーボードのキートップ周辺を含む部分の断面の模式図である。縦型キーボード３が、垂直方向に対し角度α°（但し、０°≦α＜９０°）傾いている場合、筐体７の開口部の下面２０が、水平方向に対して角度β°（但し、０°＜β＜９０°）傾いている。縦型キーボード３が傾斜して用いられる場合であっても、筐体７の開口部の下面２０は、キーボード表面８に向かって下る方向に傾斜している。
【００１９】
筐体７の開口部の下面２０は、キーボード表面８に向かって下る方向に傾斜している。塵や埃（塵埃１０）がキーボード表面８方向に重力により引っ張られることにより、キートップ４の下面２１と筐体７の開口部の下面２０の間に形成される隙間６に塵や埃（塵埃１０）が付着したり、堆積することが低減することができる。
【００２０】
＜実施形態３＞
図４は本発明の実施形態３のキーボードのキートップ周辺を含む部分の断面の模式図である。実施形態３は筐体７の開口部の下面２０の垂直断面の形状が楕円弧形状を備えている。キーボード表面８からみて、楕円弧形状の下面２０は、筐体７に設けられた開口部の内側面のうちの下面２０であって、少なくとも前記筐体の表面に接続する部分は、水平方向に対して縦型キーボード３の内部から外部に向かって角度β°（但し、０°＜β＜９０°）で下る方向に傾斜している。
【００２１】
塵や埃（塵埃１０）がキーボード表面８方向に重力により引っ張られることにより、キートップ４の下面２１と筐体７の開口部の下面２０の間に形成される隙間６に塵や埃（塵埃１０）が付着したり、堆積することが低減することができる。
【００２２】
キートップ４の断面形状（キーボード表面８に平行な面における断面形状）は三角形を含む矩形形状、楕円形状の場合がある。三角形のキートップ４の場合は三角形の底辺に対向する筐体７の開口部の下面２０が上記の実施形態と同様の構成を備えている。また、楕円形状のキートップ４の場合は、楕円形状の中心線より下部に対向する筐体７の開口部の下面２０が上記の実施形態と同様の構成を備えている。
【符号の説明】
【００２３】
１  操作盤
２  表示器
３  縦型キーボード
４  キートップ
５  隙間
６  隙間
７  筐体
８  キーボード表面
９  キーボード内部
１０  塵埃
１１  取付板
１２  プリント基板
１３  キースイッチ
１４  摺動部
１５  水平面
１６  垂直面
１７  押圧方向
１８，１９  上面
２０，２１  下面
【図１】
2016136318.tif 000003
【図２】
2016136318.tif 000004
【図３】
2016136318.tif 000005
【図４】
2016136318.tif 000006
【図５】
2016136318.tif 000007
【図６】
2016136318.tif 000008